【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
外部装置からネットワークを介して印刷情報を受信する受信部と、
ユーザを一意に識別するための識別情報を記憶する記憶部と、
前記記憶部に記憶された識別情報のリストを表示する表示部と、を有し、
前記記憶部は、ユーザ名とドメイン名とを属性情報として含む印刷情報に基づきユーザ名とドメイン名とを含む名称を識別情報として記憶することを特徴とする情報処理装置。
【請求項２】
ユーザ名とドメイン名との組み合わせが新規な属性情報を含む印刷情報を前記受信部が受信した場合、前記記憶部は、前記識別情報を記憶し、
ユーザ名とドメイン名との組み合わせが新規でない属性情報を含む印刷情報を前記受信部が受信した場合、前記記憶部は、前記識別情報を記憶しないことを特徴とする請求項１に記載の情報処理装置。
【請求項３】
前記記憶部は、ユーザ名情報と外部装置名情報とを含みドメイン名情報を含まない印刷情報に基づきユーザ名と外部装置名とを含む名称を識別情報として記憶することを特徴とする請求項１又は２に記載の情報処理装置。
【請求項４】
前記表示部は、前記識別情報のリストを表示する画面を第１の画面として表示し、
更に、ユーザにより選択可能で且つ前記識別情報に関連づけられたオブジェクトを配置する第２の画面と、前記識別情報に関連付けられた印刷情報のリストを配置する第３の画面と、を表示可能であり、
前記第２の画面において前記オブジェクトが選択された場合、前記第３の画面を表示することを特徴とする請求項１乃至３のいずれか１項に記載の情報処理装置。
【請求項５】
前記受信部は、ユーザ名情報とドメイン名情報と外部装置名情報とをヘッダー部に保持可能な印刷情報を受信することを特徴とする請求項１乃至４のいずれか１項に記載の情報処理装置。
【請求項６】
前記印刷情報に基づいて画像を形成する画像形成部を更に有することを特徴とする請求項１乃至５のいずれか１項に記載の情報処理装置。
【請求項７】
外部装置からネットワークを介して印刷情報を受信する受信部と、
ユーザ名とドメイン名とを属性情報として含む印刷情報に基づきユーザ名とドメイン名とを含む名称が表記されたオブジェクトであってユーザにより選択可能なオブジェクトを生成して第１の画面に表示する表示部と、
を有し、
前記表示部は、前記オブジェクトが選択された場合、前記オブジェクトに関連付く属性情報を含む印刷情報のリストを配置した第２の画面を表示することを特徴とする情報処理装置。
【請求項８】
ユーザ名とドメイン名との組み合わせが新規な属性情報を含む印刷情報を前記受信部が受信した場合、前記表示部は、前記第１の画面にオブジェクトを生成し、
ユーザ名とドメイン名との組み合わせが新規でない属性情報を含む印刷情報を前記受信部が受信した場合、前記表示部は、前記第１の画面にオブジェクトを生成しないことを特徴とする請求項７に記載の情報処理装置。
【請求項９】
前記表示部は、ユーザ名情報と外部装置名情報とを含みドメイン名情報を含まない印刷情報に基づきユーザ名と外部装置名とを含む名称が表記されたオブジェクトであってユーザにより選択可能なオブジェクトを生成して前記第１の画面に表示することを特徴とする請求項７又は８に記載の情報処理装置。
【請求項１０】
前記受信部は、ユーザ名とドメイン名情と外部装置名情報とをヘッダー部に保持可能な印刷情報を受信することを特徴とする請求項７乃至９のいずれか１項に記載の情報処理装置。
【請求項１１】
前記印刷情報に基づいて画像を形成する画像形成部を更に有することを特徴とする請求項７乃至１０のいずれか１項に記載の情報処理装置。
【請求項１２】
ユーザ名情報とドメイン名情報と外部装置名情報とを保持可能な印刷情報を、外部装置からネットワークを介して受信する受信部と、
前記受信部で受信した複数の印刷情報のうち特定のユーザ名情報と特定のドメイン名情報とを含み且つ特定の外部装置名情報を含んでいるか否かによらない印刷情報のリストを表示する第１の画面と、前記受信部で受信した複数の印刷情報のうちドメイン名情報を含んでおらず特定のユーザ名情報と特定の外部装置名情報とを含む印刷情報のリストを表示する第２の画面と、を含む複数の画面を選択的に表示可能な表示部と、
を有することを特徴とする情報処理装置。
【請求項１３】
前記表示部は、選択に基づき前記第１の画面を表示するための第１のオブジェクトと選択に基づき前記第２の画面を表示するための第２のオブジェクトを含む複数のオブジェクトが並ぶ第３の画面を表示可能であることを特徴とする請求項１２に記載の情報処理装置。
【請求項１４】
特定のユーザ名情報と特定のドメイン名情報とを含み且つ特定の外部装置名情報を含んでいるか否かによらない印刷情報を前記受信部が初めて受信した場合、前記表示部は、前記第１のオブジェクトを生成して前記第１の画面に表示し、
ドメイン名情報を含んでおらず且つ特定のユーザ名情報と特定の外部装置名情報を含む印刷情報を前記受信部が初めて受信した場合、前記表示部は、前記第２のオブジェクトを生成して前記第１の画面に表示することを特徴とする請求項１３に記載の情報処理装置。
【請求項１５】
前記第１のオブジェクトは、特定のユーザ名情報と特定のドメイン名情報とに基づく名称が表記されていることを特徴とする請求項１３又は１４に記載の情報処理装置。
【請求項１６】
前記第２のオブジェクトは、特定のユーザ名情報と特定の外部装置名情報とに基づく名称が表記されていることを特徴とする請求項１３又は１４に記載の情報処理装置。
【請求項１７】
前記受信部は、ユーザ名情報とドメイン名情報と外部装置名情報とをヘッダー部に格納可能な印刷情報を受信することを特徴とする請求項１２乃至１６のいずれか１項に記載の情報処理装置。
【請求項１８】
前記印刷情報に基づいて画像を形成する画像形成部を更に有することを特徴とする請求項１２乃至１７のいずれか１項に記載の情報処理装置。
【請求項１９】
記憶部と表示部とを含む情報処理装置の制御方法であって、
ネットワークを介して外部装置から印刷情報を受信するステップと、
ユーザを一意に識別するための識別情報を前記記憶部に記憶させる記憶ステップと、
前記記憶部に記憶された識別情報のリストを前記表示部に表示させるステップと、
を含み、
前記記憶ステップでは、ユーザ名とドメイン名とを属性情報として含む印刷情報に基づきユーザ名とドメイン名を含む名称を識別情報として前記記憶部に記憶させることを特徴とする情報処理装置の制御方法。
【請求項２０】
記憶部と表示部を含むコンピュータに、
ネットワークを介して外部装置から印刷情報を受信するステップと、
ユーザを一意に識別するための識別情報を前記記憶部に記憶する記憶ステップと、
前記記憶部に記憶された識別情報のリストを前記表示部に表示するステップと、
を実行させるためのプログラムであって、
前記記憶ステップでは、ユーザ名とドメイン名とを属性情報として含む印刷情報に基づきユーザ名とドメイン名を含む名称を識別情報として前記記憶部に記憶させることを特徴とするプログラム。
【請求項２１】
表示部を有する情報処理装置の制御方法であって、
ネットワークを介して外部装置から印刷情報を受信するステップと、
ユーザ名とドメイン名とを属性情報として含む印刷情報に基づきユーザ名とドメイン名とを含む名称が表記されたオブジェクトであってユーザにより選択可能なオブジェクトを生成し、生成したオブジェクトを前記表示部に表示させるステップと、
前記オブジェクトが選択された場合、前記オブジェクトに関連付く属性情報を含む印刷情報のリストを前記表示部に表示させるステップと、
を含むことを特徴とする情報処理装置の制御方法。
【請求項２２】
表示部を有するコンピュータに、
ネットワークを介して外部装置から印刷情報を受信するステップと、
ユーザ名とドメイン名とを属性情報として含む印刷情報に基づきユーザ名とドメイン名とを含む名称が表記されたオブジェクトであってユーザにより選択可能なオブジェクトを生成し、生成したオブジェクトを前記表示部に表示するステップと、
前記オブジェクトが選択された場合、前記オブジェクトに関連付く属性情報を含む印刷情報のリストを前記表示部に表示するステップと、
を実行させるためのプログラム。
【請求項２３】
表示部を有する情報処理装置の制御方法であって、
ユーザ名とドメイン名と外部装置名とを属性情報として保持可能な印刷情報を、外部装置から受信するステップと、
取得した複数の印刷情報のうち特定のユーザ名と特定のドメイン名とを属性情報として含み且つ特定の外部装置名を属性情報として含んでいるか否かによらない印刷情報のリストを前記表示部に表示させるステップと、
取得した複数の印刷情報のうちドメイン名を属性情報として含んでおらず且つ特定のユーザ名と特定の外部装置名とを属性情報として含む印刷情報のリストを前記表示部に表示させるステップと、
を含むことを特徴とする情報処理装置の制御方法。
【請求項２４】
表示部を有するコンピュータに、
ユーザ名とドメイン名と外部装置名とを属性情報として保持可能な印刷情報を、外部装置から受信するステップと、
取得した複数の印刷情報のうち特定のユーザ名と特定のドメイン名とを属性情報として含み且つ特定の外部装置名を属性情報として含んでいるか否かによらない印刷情報のリストを前記表示部に表示するステップと、
取得した複数の印刷情報のうちドメイン名を属性情報として含んでおらず且つ特定のユーザ名と特定の外部装置名とを属性情報として含む印刷情報のリストを前記表示部に表示するステップと、
を実行させるためのプログラム。
【請求項２５】
ユーザ名とドメイン名とを属性情報として含む印刷情報を外部装置からネットワークを介して受信する受信手段と、
前記印刷情報に基づきユーザ名とドメイン名とを含む名称を識別情報として記憶する記憶手段と、
前記記憶手段によって記憶された識別情報のリストを表示する表示手段と、
を有することを特徴とする情報処理装置。
【手続補正２】
【補正対象書類名】明細書
【補正対象項目名】発明の名称
【補正方法】変更
【補正の内容】
【発明の名称】情報処理装置、情報処理装置の制御方法及びプログラム
【手続補正３】
【補正対象書類名】明細書
【補正対象項目名】０００１
【補正方法】変更
【補正の内容】
【０００１】
本発明は、情報処理装置、情報処理装置の制御方法及びプログラムに関する。
【手続補正４】
【補正対象書類名】明細書
【補正対象項目名】０００５
【補正方法】変更
【補正の内容】
【０００５】
そこで、本発明の情報処理装置は、外部装置からネットワークを介して印刷情報を受信する受信部と、ユーザを一意に識別するための識別情報を記憶する記憶部と、前記記憶部に記憶された識別情報のリストを表示する表示部と、を有し、前記記憶部は、ユーザ名とドメイン名とを属性情報として含む印刷情報に基づきユーザ名とドメイン名とを含む名称を識別情報として記憶することを特徴とする。